(57)【特許請求の範囲】
【請求項１】
鍵と、
金属製のハンマー本体と、このハンマー本体の下面に取り付けられ、第１及び第２当設部を有する弾性部材とからなり、前記鍵の押鍵と離鍵に連動するハンマーと、
前記鍵と前記ハンマーとを支持する鍵盤シャーシと
を備えた鍵盤装置において、
前記鍵盤シャーシには第１の立上面及び第２の立上面を有する突出部が形成され、
前記ハンマー本体には前記突出部の上方に支点部が形成されると共に前記突出部の前記第１の立上面及び第２の立上面それぞれに対向する辺を有する凹部が下面に形成されており、かつ当該凹部の辺夫々には前記弾性部材の第１及び第２当設部が装着され、
前記ハンマー本体は前記鍵の押鍵と離鍵に伴って前記支点部を支点として回動すると共に前記凹部の各辺に装着された前記第１及び第２当設部が前記突出部の前記第１の立上面及び前記第２の立上面にそれぞれ当接して前記ハンマーの回動を規制する
ことを特徴とする鍵盤装置。
【請求項２】
前記突出部の上方には支点軸が設けられ、前記ハンマーの支点部は前記支点軸の外周に添って回動することを特徴とする請求項１に記載の鍵盤装置。
【発明の詳細な説明】
【技術分野】
【０００１】
この発明は、鍵盤装置に関する。
【背景技術】
【０００２】
従来、電子楽器に使用される鍵盤装置においては、アコースティックピアノの鍵タッチ感に近似した鍵タッチ感を得る為にハンマー等の質量体を配置することが知られている。即ち、この種の鍵盤装置では、ハンマーは金属製のハンマー本体とこのハンマー本体に装着される合成樹脂製のハンマーホルダとから構成されており、ハンマーホルダには、鍵盤シャーシに対して回動自在に支持される回動部が設けられていて、ハンマー自体が回動可能となっている。そして、鍵の押鍵動作の応力がハンマーの一端に伝えられることにより、ハンマー回動部を支点としてハンマーの他端が回動し、この回動はハンマーの他端部側の鍵盤シャーシに取付けられた樹脂製の２個のストッパーに当接して上下移動が規制される様になっている（例えば特許文献１参照）。
【０００３】
【特許文献１】特開２００６−３４９５号公報
【発明の開示】
【発明が解決しようとする課題】
【０００４】
しかしながら、上記のストッパーは、鍵の押鍵と離鍵動作に伴うハンマーの上下動作を規制する為に、鍵毎に２個ずつ配置する必要があり、全ての鍵に対してストッパーを接着しなければならなかった。この為、組み立て作業時間が長くなるばかりか、ストッパーの材料費もかかるので、製造コストが高くなるという問題があった。
【０００５】
この発明の課題は、電子楽器に使用される鍵盤装置について、鍵盤シャーシに上下のストッパーを取付けることなく、ハンマーの回動動作の規制が行えるようにしたもので、部品点数を削減し、製造コストの低減化を図ることが可能な鍵盤装置を提供することにある。
【課題を解決するための手段】
【０００６】
上記目的を達成する為に、請求項１記載の発明による鍵盤装置は、鍵と、金属製のハンマー本体と、このハンマー本体の下面に取り付けられ、第１及び第２当設部を有する弾性部材とからなり、前記鍵の押鍵と離鍵に連動するハンマーと、前記鍵と前記ハンマーとを支持する鍵盤シャーシとを備えた鍵盤装置において、前記鍵盤シャーシには第１の立上面及び第２の立上面を有する突出部が形成され、前記ハンマー本体には前記突出部の上方に支点部が形成されると共に前記突出部の前記第１の立上面及び第２の立上面それぞれに対向する辺を有する凹部が下面に形成されており、かつ当該凹部の辺夫々には前記弾性部材の第１及び第２当設部が装着され、前記ハンマー本体は前記鍵の押鍵と離鍵に伴って前記支点部を支点として回動すると共に前記凹部の各辺に装着された前記第１及び第２当設部が前記突出部の前記第１の立上面及び前記第２の立上面にそれぞれ当接して前記ハンマーの回動を規制することを特徴とする。
【０００８】
請求項２に記載の鍵盤装置は、前記突出部の上方には支点軸が設けられ、前記ハンマーの支点部は前記支点軸の外周に添って回動することを特徴とする。
【発明の効果】
【０００９】
本発明によれば、鍵盤装置において、ハンマーの凹部と、鍵盤シャーシに備えられた立上面とが当接してハンマーの回動動作を規制する構成としたので、ハンマー用のストッパーを別個にシャーシに配置する必要がなく、製造コストの低減化を図ることが可能となる。
【発明を実施するための最良の形態】
【００１０】
以下、図１から図６を参照して本発明の一実施例を説明する。図１及び図２は、本発明の実施例に係る鍵盤装置１の断面図であり、図１は鍵２の離鍵時の状態、図２は鍵２の押鍵時の状態をそれぞれ示している。
【００１１】
鍵盤装置１は、図１に示すように、合成樹脂製の鍵盤シャーシ３と、この鍵盤シャーシ３に上下に回動可能に取付けられた合成樹脂製の鍵２とが備えられている。尚、図１では１つの鍵２のみが記載されているが、実際は複数の鍵２が並列は位置されているものである。
【００１２】
しかして、鍵２には重量を付加する為のハンマー４と、各鍵の押鍵動作に伴ってそれぞれ信号を出力する図示しないスイッチとを備えている。上記鍵２は鍵盤装置１の最上部に配置され、鍵盤の支点となる係合孔２１に、鍵盤シャーシ３に取付けられた図示しない軸が挿通されることにより、係合孔２１を中心点として鍵盤シャーシ３に対し回動可能に係合されている。鍵２の下部には、ハンマー押下部材２３が一体形成されており、その下端部が詳細を後述するハンマーホルダ６の先端と当接して配置されている。また、鍵２の前端部２２は内部が空洞になっており、鍵２の横振れを防ぐ為の鍵ガイド３１が挿入されている。
【００１３】
上記鍵盤シャーシ３は、全体が略均一の厚さの樹脂板から成り、射出成形により形成されている。図１に示す鍵盤シャーシ３のシャーシ前端部３２（図面では右端部）には、上述した鍵ガイド３１が上方に突出して設けられている。また、鍵盤シャーシ３の図面中央部には、詳細を後述する回動支持部７に向けて突出部８が形成されており、図面左側部には、鍵２が取付けられる鍵支持部３３が設けられている。
【００１４】
上記突出部８は、上記回動支持部７に向けて立ち上がる第１立上面８１と第２立上面８２とを有する。
【００１５】
上記ハンマー４は、ハンマー本体５とハンマーホルダ６とから構成されている。ハンマー本体５にはハンマーホルダ６が後述する方法で装着され、回動支持部７に配置されている。ハンマー本体５は金属製で、ハンマーホルダ６はエラストマー（弾性樹脂）で形成されている。これらハンマー本体５とハンマーホルダ６の詳細については後述する。
【００１６】
図３は図１の、図４は図２の、それぞれ回動支持部７を中心とする部分の拡大図である。ハンマーホルダ６の右端上部は、上述したハンマー押下部材２３と当接するように配置されている。ハンマー本体５にはハンマーホルダ６が後述する方法で装着され、回動支持部７に配置されている。回動支持部７は、第１立上面８１と第２の立上面８２の上面の台座部７２と、この台座部７２の上部に設けられた支点軸７１と、上記台座部７２から突出し上記支点軸７１を固定すると共に、上記ハンマー本体５の上方に突出して設けられたハンマーフック７３とからなる。
【００１７】
支点軸７１は、その外周をハンマーホルダ６のほぼ中心部が摺動するように取付けられ、鍵２の押鍵時と離鍵時にハンマー４の回動を支持する。
【００１８】
図５及び図６を参照してハンマー本体５とハンマーホルダ６とについて説明する。図５はハンマー本体５の側面図であり、図６はハンマーホルダ６の平面図及び側面図である。
【００１９】
図５において、ハンマー本体５は、キャップ装着部５１、軸周部５２、長尺部５３から構成されており。軸周部５２と長尺部５３との接続部下面にはフック５４が形成されている。キャップ装着部５１には、後述する方法でハンマーホルダ６の右端部が装着される。軸周部５２は下部に、相対向する辺５５及び５６からなる凹部５７が形成されていて、この凹部５７にはハンマーホルダ６の中央部が配置される。また、フック５４にはハンマーホルダ６の左端部が装着される。
【００２０】
図６に示したハンマーホルダ６は、エラストマーで形成されており、金属や硬い樹脂等と当接した場合には緩衝材として作用する。ハンマーホルダ６には、右端部にキャップ部６１が形成され、中央部に第１当接部６２、ハンマー接合部６３及び第２当接部６４が形成され、左端部に装着用貫通孔６５が設けられている。
【００２１】
上記ハンマーホルダ６のキャップ部６１にはハンマー装着孔６２が形成されている。このハンマー装着孔６２にはハンマー本体５のキャップ装着部５１が挿入される。ハンマー接合部６３は、その上面が上述したハンマー本体５の凹部５７と接合し、第１当接部６２及び第２当接部６４は、それぞれハンマー本体５の凹部５７の辺５５及び５６に当接して装着される。
【００２２】
また、ハンマー接合部６３の下面には支点軸７１と係合する支点軸係合部６７が設けられている。支点軸７１と支点軸係合部６７との係合面には、図示していないが支点軸係合部６７が支点軸７１の外周を円滑に回動出来る様にする為に潤滑剤が塗布されている。装着用貫通孔６５には上述した装着用フック５４が装着される。
【００２３】
次に、上記の構成に於いて、図１及び図３を参照して離鍵時の状態について説明する。ハンマー押下部材２３は、その下端部がハンマーホルダ６の上述したキャップ部６１の上端部と当接している。ハンマー４には、上述したハンマー本体５の長尺部５３の自重により、支点軸７１と係合している支点軸係合部６７を支点として、反時計周りの方向に回動する応力が付勢されている。この応力により、ハンマー押下部材２３が反時計周りの方向に持ち上げられている。この状態で、ハンマーホルダ６の第２当接部６４は突出部８の第１立上面８１に当接しており、この位置でハンマー４の反時計周りの方向への回動が規制されている。
【００２４】
また、ハンマーホルダ６は、上述したようにエラストマーで形成されている為、第１立上面８１に当接する際に緩衝材として作用する。従って、離鍵状態で、ハンマー用のストッパーとして別の部品を配置する必要はない。
【００２５】
図２及び図４を参照して押鍵時の状態について説明する。図１で鍵２が押鍵されると、図２に示した状態に移行する。即ち、図４でハンマー押下部材２３がハンマーホルダ６の上述したキャップ部６１の上端部を押下し、支点軸７１の外周をハンマーホルダ６の支点軸係合部６７が回動して、ハンマー４は、支点軸係合部６７を支点として時計周りの方向に回動する。ハンマーホルダ６の第１当接部６２は突出部８の第２立上面８２に当接して、ハンマー４の時計周りの方向への回動動作が規制される。また、ハンマーホルダ６はエラストマーで形成されている為、第２立上面８２に当接する際に緩衝材として作用する。従って、押鍵状態で、ハンマー用のストッパーとして別の部品を配置する必要はない。
【００２６】
以上説明したように、鍵盤シャーシに立上面を形成し、ハンマーの凹部に装着されたエラストマー製のハンマーホルダが鍵盤シャーシの立上面に当接して、ハンマーの回動を規制する構成としたので、ハンマー用のストッパーを別に配置する必要がなく、製造コストの低減化を図ることが可能となる。また、このハンマーホルダの先端部をキャップ状に形成して、ハンマーの先端部に装着して被覆した為、ハンマーの先端部を押下する部材との間に、緩衝作用を得ることが可能となる。
【図面の簡単な説明】
【００２７】
【図１】本発明における鍵盤装置の離鍵時の断面図。
【図２】本発明における鍵盤装置の押鍵時の断面図。
【図３】図１の回動支持部７を中心とする部分の拡大図。
【図４】図２の回動支持部７を中心とする部分の拡大図。
【図５】ハンマー本体５の説明図。
【図６】ハンマーホルダ６の説明図。
【符号の説明】
【００２８】
１    鍵盤装置
２    鍵
３    鍵盤シャーシ
４    ハンマー
５    ハンマー本体
６    ハンマーホルダ
８    突出部
２１  鍵盤支点係合孔
２３  ハンマー押下部材
３１  鍵ガイド
５１  キャップ装着部
５２  軸周部
５３  長尺部
５４  フック
５７  凹部
６１  キャップ部
６２  第１当接部
６４  第二当接部
６７  支点軸係合部
７１  支点軸
８１  第１立上面
８２  第２立上面
【図１】
0005266729.tif 000002
【図２】
0005266729.tif 000003
【図３】
0005266729.tif 000004
【図４】
0005266729.tif 000005
【図５】
0005266729.tif 000006
【図６】
0005266729.tif 000007